(57)【特許請求の範囲】
【請求項１】
物を出し入れするための出入り口を有し当該物を内部に収納可能な細長い袋体と、
前記袋体の長手方向の一方の端部に前記袋体の長手方向の外側に向かって延伸するように設けられた第１の連結部と、
前記袋体の長手方向の前記一方の端部とは異なる他方の端部に前記袋体の長手方向の外側に向かって延伸するように設けられ、前記第１の連結部と同じ構成の連結部と着脱可能に係合する第２の連結部と
を備えユーザの身体の所定部位に装着されるべき身体装着収納具であって、
前記第１の連結部は前記第２の連結部と同じ構成の連結部と前記袋体の長手方向に着脱可能な方向で前記袋体の前記一方の端部に設けられ、
前記第２の連結部は前記第１の連結部と同じ構成の連結部と前記袋体の長手方向に着脱可能な方向で前記袋体の前記他方の端部に設けられ、
前記袋体の前記出入り口を開閉するための線ファスナーを備え、
前記身体装着収納具と同じ構成の身体装着収納具と連結されて前記所定部位に装着された状態で、前記袋体の前記出入り口の開口の方向が、当該同じ構成の身体装着収納具の袋体の出入り口の開口の方向と同じとなり、前記線ファスナーが前記袋体に収納された物を前記ユーザの身体に向かう方向に押圧する
身体装着収納具。
【発明の詳細な説明】
【技術分野】
【０００１】
本発明は、例えばウェストバッグ等の構成要素として使用可能な身体装着収納具に関する。
【背景技術】
【０００２】
いわゆるウェストバッグもしくはウェストポーチと呼ばれるものは、従来から様々な形態のものが提供されている。例えば、特許文献１は、バッグ本体とベルトとを接続具を介して分離もしくは連結することが可能なウェストバッグを開示している。また、特許文献２は、収納袋部とベルトとを分離連結可能にするとともに当該収納袋部とベルトとを面ファスナーにより取り付けることができるウェストバッグを開示している。
【０００３】
また、自転車に乗る人等が使用するいわゆるメッセンジャーバッグと呼ばれるようなものが提供されている。当該メッセンジャーバッグは、ユーザの右肩部もしくは左肩部から当該ユーザの身体に対して左右反対側の腰部を通って胸側から背中側もしくは背中側から胸側へ一回りする態様で当該身体に装着される。
【先行技術文献】
【特許文献】
【０００４】
【特許文献１】実開平３−６０５２９号公報
【特許文献２】実登３０４３０８７号公報
【発明の概要】
【発明が解決しようとする課題】
【０００５】
バッグ等の収納具には、異なる種類や大きさの物を各々区分して収納する機能が求められる。例えば、携帯電話とむき出しの金属鍵とを一緒に収納し持ち運ぶと、金属鍵が携帯電話の表面を傷つけるため、それらは個別に区分収納できることが望ましい。
【０００６】
また、収納具は、持ち運ぶ物をちょうど収納できるサイズおよび形状であることが望ましい。収納されるべき物のサイズに対して不必要に大きな収納具は持ち運ぶのに不便であるためである。
【０００７】
さらに、収納具には、ファッション性も求められる。ファッションにこだわるユーザは、その日の服装やシチュエーションに応じた色やデザインの収納具を用いたいと思うものである。
【０００８】
上述のニーズに鑑み、本発明は、区分収納を可能とするとともに、サイズ・形状や色・デザインの選択性の高い身体に装着するタイプの収納具を提供することを目的とする。
【課題を解決するための手段】
【０００９】
本発明は、
物を出し入れするための出入り口を有し当該物を内部に収納可能な細長い袋体と、
前記袋体の長手方向の一方の端部に前記袋体の長手方向の外側に向かって延伸するように設けられた第１の連結部と、
前記袋体の長手方向の前記一方の端部とは異なる他方の端部に前記袋体の長手方向の外側に向かって延伸するように設けられ、前記第１の連結部と同じ構成の連結部と着脱可能に係合する第２の連結部と
を備えユーザの身体の所定部位に装着されるべき身体装着収納具であって、
前記第１の連結部は前記第２の連結部と同じ構成の連結部と前記袋体の長手方向に着脱可能な方向で前記袋体の前記一方の端部に設けられ、
前記第２の連結部は前記第１の連結部と同じ構成の連結部と前記袋体の長手方向に着脱可能な方向で前記袋体の前記他方の端部に設けられ、
前記袋体の前記出入り口を開閉するための線ファスナーを備え、
前記身体装着収納具と同じ構成の身体装着収納具と連結されて前記所定部位に装着された状態で、前記袋体の前記出入り口の開口の方向が、当該同じ構成の身体装着収納具の袋体の出入り口の開口の方向と同じとなり、前記線ファスナーが前記袋体に収納された物を前記ユーザの身体に向かう方向に押圧する
身体装着収納具を提供する（第１の実施態様）。
【発明の効果】
【００１０】
本発明の第１の実施態様にかかる身体装着収納具によれば、同じ構成を備える身体装着収納具と互いに着脱可能に連結し合うことにより、各々の身体装着収納具に対する区分収納が可能となるとともに、収納される物のサイズに応じて適するサイズの身体装着収納具を組み合わせることができ、さらに、異なる色・デザインの身体装着収納具の中からユーザの好みのものを適宜選択し組み合わせて用いることもできる。
【図面の簡単な説明】
【００１１】
【図１】図１は、本発明の実施形態にかかる身体装着収納具を示した図である。
【図２】図２は、本発明の実施形態にかかる身体装着収納具とともに使用されるベルトを示した図である。
【図３】図３は、本発明の実施形態にかかる身体装着収納具の使用例を示した図である。
【図４】図４は、本発明の実施形態にかかる身体装着収納具の使用例を示した図である。
【図５】図５は、本発明の実施形態の第１変形例にかかる身体装着収納具を示した図である。
【図６】図６は、本発明の実施形態の第２変形例にかかる身体装着収納具を示した図である。
【発明を実施するための形態】
【００１２】
［１．実施形態］
以下、本発明の一具体例である実施形態を、図面を用いて説明する。
【００１３】
図１は、本実施形態にかかる身体装着収納具１を示した図である。身体装着収納具１は、ユーザのウェスト部に装着されるウェストバッグの一部を構成する。身体装着収納具１は、物を内部に収納可能な袋体１１と、袋体１１の外部の一の箇所に設けられた第１の連結部１２と、袋体１１の外部の上述の一の箇所とは異なる他の箇所に設けられた第２の連結部１３とを備えている。
【００１４】
袋体１１は、伸縮性の高い素材で作られた本体部分１１１と、物を出し入れするための出入り口を開閉するための線ファスナー１１２とを備えている。
【００１５】
本体部分１１１は、線ファスナー１１２が閉じられた状態で、概ね細長い筒状の四角柱形状もしくは楕円柱形状を有している。
【００１６】
線ファスナー１１２は、例えば金属製である。また、線ファスナー１１２は、第１の連結部１２が設けられている上記の一の箇所と第２の連結部１３が設けられている上記の他の箇所を概ね直線もしくは曲線でつなぐように、本体部分１１１のユーザの身体に対向しない側の面のほぼ中央を貫く位置に設けられている。そのような位置に線ファスナー１１２が設けられていることにより、身体装着収納具１がユーザの身体に装着された際に伸縮性の低い線ファスナー１１２が袋体１１に収納された物をしっかりと身体方向に押圧し、収納された物が伸縮性の高い本体部分１１１とともに身体の動きと異なる動きをすることが低減される。
【００１７】
第１の連結部１２は、本体部分１１１の長手方向の一端から当該長手方向の外側に延伸するように設けられている。また、第２の連結部１３は、本体部分１１１の長手方向において第１の連結部１２が設けられている一端とは異なる側の他端から当該長手方向の外側に延伸するように設けられている。第１の連結部１２と第２の連結部１３は互いに着脱可能な１対をなして１つの連結機構を構成する。
【００１８】
第１の連結部１２は合成樹脂でできており、本体部分１１１と固着される根元部分から長手方向の外側に向かって延伸する３本の棒状体を有し、連結機構のオス部を構成する。また、第２の連結部１３も第１の連結部１２と同じく合成樹脂でできており、本体部分１１１と固着される根元部分から長手方向の外側に向かって延伸する平板な筒状体を有し、連結機構のメス部を構成する。
【００１９】
第１の連結部１２の３本の棒状体のうち中央の棒状体は、第１の連結部１２が第２の連結部１３に連結される際に、第２の連結部１３の内側面に設けられたガイド板（図史略）に沿って第２の連結部１３の内部中央に挿入され、第１の連結部１２の第２の連結部１３に対する位置決めの役割を果たす。
【００２０】
第１の連結部１２の３本の棒状体のうち外側の２本の棒状体の先端部には、長手方向に対し外側に張り出した形状の突起部１２１が設けられ、第１の連結部１２が第２の連結部１３に連結される際に、第２の連結部１３の側面の各々に設けられた開口部１３１に嵌り込んで第１の連結部１２を第２の連結部１３に固着する役割を果たす。
【００２１】
なお、第１の連結部１２と第２の連結部１３が連結される際、第１の連結部１２の３本の棒状体のうち外側の２本の棒状体は、突起部１２１が開口部１３１に達するまでの間、若干内側に撓み、突起部１２１が開口部１３１に達するとその撓みが解消される。第１の連結部１２の素材である合成樹脂は、その撓みの前後を通じて形状が変化せず、繰り返しの撓みによって破損しない程度の弾性を備えている。
【００２２】
第１の連結部１２および第２の連結部１３の本体部分１１１に対する固着方法としては、例えば、第１の連結部１２および第２の連結部１３の根元部分に細長い矩形状の環状部を設け、本体部分１１１から外側に延伸するごく短いベルトをその環状部に通した後、そのベルトの端部を本体部分１１１に縫い付けることが考えられる。
【００２３】
以上のような構成を有する身体装着収納具１は、様々なサイズ、形状、色およびデザインのものが用意されており、ユーザは収納する物のサイズや形状に応じて、また色・デザインに関する好みに応じて、自由に選択可能となっている。
【００２４】
上述したように、身体装着収納具１のサイズと形状には様々なバリエーションがあり得るが、いずれのサイズ・形状の身体装着収納具１であっても、それだけではユーザのウェスト部に装着できない。つまり、第１の連結部１２と第２の連結部１３とを直接連結させて環状体とした場合に、その環状体の内周がユーザのウェスト部の外周よりも短いため、１つの身体装着収納具１のみではウェスト部を一回りすることができない。
【００２５】
これは、以下のいずれかによりユーザのウェスト部に装着されるように身体装着収納具１が作られているためである。
（ａ）複数の身体装着収納具１を互いに連結し、環状体を形成する。
（ｂ）１つ以上の身体装着収納具１と、第１の連結部１２と同じ構成の連結部を一方の端部に備え第２の連結部１３と同じ構成の連結部を他方の端部に備えた１本以上の紐状体とを互いに連結し、環状体を形成する。
【００２６】
図２は、身体装着収納具１とともに使用される紐状体の一例であるベルト２を示した図である。ベルト２は、本体２１と、身体装着収納具１の第１の連結部１２と同じ構成の第１の連結部２２と、身体装着収納具１の第２の連結部１３と同じ構成の第２の連結部２３と、本体２１の長さを調整するためのコキ２４とを備えている。
【００２７】
本体２１は、例えば、幅２センチメートル、厚さ２ミリメートルのナイロン製のグログランテープである。図２にＬ１で表される長さは、コキ２４により本体２１の全長から当該全長の約半分の長さまで調整可能である。ベルト２には、本体２１の全長が、例えば２０センチメートル、４０センチメートル、８０センチメートルの３種類のものが用意され、ユーザが適当な長さを選択して用いることが可能となっている。さらに、本体２１の色や柄が異なるものが複数用意され、ユーザはそれらの中から好みに応じたものを選択して用いることが可能となっている。
【００２８】
図３は、身体装着収納具１とベルト２とを互いに連結して形成した環状体を例示した図である。図３（ａ）は２つの身体装着収納具１と２本のベルト２を連結した例、図３（ｂ）は２つの身体装着収納具１と１本のベルト２を連結した例を示している。いずれの場合も、環状体の内周がユーザのウェスト部の外周とほぼ一致するように、ベルト２の長さが選択され、またコキ２４により調整されている。
【００２９】
これにより、ユーザはいずれかの１対の連結部の連結を解除して身体装着収納具１およびベルト２の連結体でウェスト部を一周させた後、解除した１対の連結部を再度連結させることにより、身体装着収納具１をウェスト部に装着することができる。また、ユーザが装着している身体装着収納具１を取り外す場合には、いずれかの１対の連結部の連結を解除すればよい。
【００３０】
上述したように、身体装着収納具１によれば、ユーザは好みに合わせて、適当な色やデザインの身体装着収納具１とベルト２を選択し、自由に組み合わせることで、よりファッショナブルなウェストバッグを身につけることができるとともに、例えば携帯電話と金属鍵とを区分収納したいような場合、それぞれのサイズに応じたサイズの身体装着収納具１を直接、もしくはベルト２を介して互いに連結することにより、その目的を達することができる。
【００３１】
さらに、例えば貴重品とそうでない物を異なる身体装着収納具１に区分収納しておき、旅行において日中、貴重品はホテルのセイフティボックスに入れておく、といった必要が生じた場合、貴重品を収納した身体装着収納具１を取り外しそのままセイフティボックスに入れ、移動時には再度、その身体装着収納具１を他の身体装着収納具１と連結し持ち運ぶ、といった使い方も可能であり、便利である。
【００３２】
また、身体装着収納具１は、既存の身体装着タイプの収納具と組み合わせることにより、利便性を高めることもできる。図４は、既存のメッセンジャーバッグ９に身体装着収納具１を組み合わせた例を示した図である。ただし、メッセンジャーバッグ９の袋体９１から両側に延伸するベルトの端部には、各々、身体装着収納具１の第１の連結部１２と同じ構成の第１の連結部９２と、身体装着収納具１の第２の連結部１３と同じ構成の第２の連結部９３が設けられている。
【００３３】
メッセンジャーバッグ９は、身体装着収納具１と連結されることなく単独で、第１の連結部９２と第２の連結部９３とを互いに連結することにより、ユーザの身体に襷がけの状態で装着され得る。そして、第１の連結部９２および第２の連結部９３が、第１の連結部１２および第２の連結部１３と互換性を備えている結果、図４に示されるように、身体装着収納具１と連結されることにより、小物の区分収納機能の追加が可能となっている。
【００３４】
例えば、ユーザが身体装着収納具１に携帯電話や小銭入れ、小型の地図などを収納しておけば、それらをメッセンジャーバッグ９に収納しておく場合と比較し、より簡便にそれらの小物を取り出すことができ便利である。そして、小物を入れるためにメッセンジャーバッグ９とは独立した小型の身体装着収納具を別途、例えば腕に装着する場合と比較し、それらが一体化しているため、小型の身体装着収納具を置き忘れる危険性が低減されるとともに、身体に装着したり取り外したりする手間が半減され、望ましい。
【００３５】
［２．変形例］
上述した実施形態は、本発明の技術的思想の範囲内で様々に変形が可能である。以下にそれらの変形の例を示す。なお、以下に示す変形例にかかる身体装着収納具は上述した実施形態にかかる身体装着収納具と多くの点で共通しているため、以下にはそれらが異なる点を中心に説明する。また、共通する構成部に関しては同じ符号を用いる。
【００３６】
［２．１．第１変形例］
図５は、第１変形例にかかる身体装着収納具３を示した図である。身体装着収納具３には、図５に示されるように、袋体１１と第１の連結部１２との間、および袋体１１と第２の連結部１３との間に、各々、例えば全長１０センチメートルの長さを有するベルト３１およびベルト３３が設けられている。
【００３７】
ベルト３１およびベルト３３の各々にはコキ３２およびコキ３４が取り付けられて、個別に長さ調整が可能となっている。ただし、コキ３２およびコキ３４の両方もしくは一方を設けず、ベルト３１もしくはベルト３３の長さを固定としてもよい。
【００３８】
例えば、ベルト３１およびベルト３３は、ベルト２の本体２１と同様に、ナイロン製のグログランテープであり、幅２センチメートル、厚さ２ミリメートルである。
【００３９】
上記のような構成を備える身体装着収納具３は、例えば袋体１１の長手方向の長さが１０センチメートルとすると、最長でも３０センチメートル程度の長さしかなく、仮に第１の連結部１２と第２の連結部１３とを連結させて環状体を形成しても、その環状体の内周がウェストバッグを装着するような年齢の通常のユーザのウェスト部の外周よりも短く、装着できない。身体装着収納具３も身体装着収納具１と同様に、他の身体装着収納具３やベルト２、もしくは身体装着収納具１と連結されて用いられるように作られているためである。
【００４０】
身体装着収納具３は、身体装着収納具１の両側に短いベルト２を連結したものと同様の役割を果たす。従って、身体装着収納具１を用いる場合と比較し、身体装着収納具３を用いれば、環状体を形成するために要するベルト２の数を減らすことができる。
【００４１】
［２．２．第２変形例］
図６は、第２変形例にかかる身体装着収納具４を示した図である。身体装着収納具４には、図６（ａ）に示されるように、袋体１１と第１の連結部１２との間、もしくは図６（ｂ）に示されるように、袋体１１と第２の連結部１３との間に、例えば全長２０センチメートルの長さを有するベルト４１が設けられている。
【００４２】
ベルト４１にはコキ４２が取り付けられて長さ調整が可能となっている。ただし、コキ４２を設けず、ベルト４１の長さを固定としてもよい。
【００４３】
例えば、ベルト４１は、ベルト２の本体２１と同様に、ナイロン製のグログランテープであり、幅２センチメートル、厚さ２ミリメートルである。
【００４４】
上記のような構成を備える身体装着収納具４は、例えば袋体１１の長手方向の長さが１０センチメートルとすると、最長でも３０センチメートル程度の長さしかなく、仮に第１の連結部１２と第２の連結部１３とを連結させて環状体を形成しても、その環状体の内周がウェストバッグを装着するような年齢の通常のユーザのウェスト部の外周よりも短く、装着できない。身体装着収納具４も身体装着収納具１と同様に、他の身体装着収納具４やベルト２、もしくは身体装着収納具１や身体装着収納具３と連結されて用いられるように作られているためである。
【００４５】
身体装着収納具４は、身体装着収納具１の片側に短いベルト２を連結したものと同様の役割を果たす。従って、身体装着収納具１を用いる場合と比較し、身体装着収納具４を用いても、環状体を形成するために要するベルト２の数を減らすことができる。
【００４６】
［２．３．他の変形例］
上述した変形例の他にも、様々な変形が可能である。例えば、上述した実施形態においては、本体部分１１１は、線ファスナー１１２が閉じられた状態で概ね細長い筒状の四角柱形状もしくは楕円柱形状を有するものとしたが、この形状は本発明を限定するものではない。
【００４７】
また、上述した実施形態においては、第１の連結部１２および第２の連結部１３が各々細長い筒状の袋体１１の両端部に設けられるものとしたが、それらの個数や位置は本発明を限定するものではない。例えば、身体装着収納具１を身体に装着した状態において袋体１１の上面中央部に第３の連結部を設け、ウェスト部を一回りする環状体に加え、例えばスラックス用のサスペンダーのようにウェスト部前側から肩部を通過してウェスト部後側に達する環状体を形成可能としてもよい。
【００４８】
その場合、ウェスト部に配置される身体装着収納具１に加え、例えば胸付近に身体装着収納具１を配置することができるため、携帯電話やオーディオプレーヤ等を胸付近に配置した身体装着収納具１に収納するなど、ユーザの好みや用途に応じて利便性を高めることができる。
【００４９】
また、上述した実施形態においては、本体部分１１１は、伸縮性の高い素材で作られ、身体の正面から線ファスナー１１２により収納物を押さえつける構造が採用されているが、本発明はそれに限定されるものではなく、袋体の素材としていかなる素材が採用されてもよいし、また袋体１１に設けられた出入り口の位置としていずれの位置が採用されてもよい。
【００５０】
また、上述した実施形態において説明した第１の連結部１２および第２の連結部１３の構造は一例であって、２つの連結部が１対で１つの連結機構を成し、それらの連結部が互いに着脱可能に連結できれば、いかなる構造が採用されてもよい。
【００５１】
例えば、上述した実施形態において、第１の連結部１２はオス部、第２の連結部１３はメス部、と異なる構造を備えるものとしたが、第１の連結部１２および第２の連結部１３が雌雄同体の同じ構造を備えてもよい。例えば、先端部に突起部を有する棒状体と、そのような形状の棒状体が挿入されると突起部が嵌り込む開口部を有する筒状体とが並んで一体として構成された連結部が、第１の連結部１２および第２の連結部１３に採用されてもよい。
【００５２】
上記のような雌雄の区別のない連結部が身体装着収納具１の第１の連結部１２および第２の連結部１３と、ベルト２の第１の連結部２２および第２の連結部２３に採用されると、ユーザは第１の連結部１２と第２の連結部１３もしくは第１の連結部２２と第２の連結部２３のいずれであるかを確認する必要がなく、より便利である。
【００５３】
また、第１の連結部１２および第２の連結部１３がいわゆるバックルタイプの連結機構ではなく、例えば面ファスナー等の他のタイプの連結機構であってもよい。
【００５４】
また、上述した実施形態においては、袋体１１に収納物を出し入れするための出入り口を開閉する機構として線ファスナー１１２が採用されるものとしたが、それに代えて、たとえば点ファスナー、面ファスナー等の他の構造の開閉機構が採用されてもよい。また、必ずしも出入り口を完全に塞ぐ必要がなければ、特段の開閉機構は設けず、例えば袋体１１の生地の一部が出入り口を覆う程度の簡単な構造が採用されてもよい。
【００５５】
また、上述した実施形態において線ファスナー１１２は金属製であるとしたが、合成樹脂等の他の素材によって作られていてもよい。
【００５６】
また、ベルト２や、変形例におけるベルト３１およびベルト３３はナイロン製のグログランテープであるとしたが、本発明はそれに限定されるものではなく、例えば鎖、紐等のいかなる紐状体が採用されてもよい。
【００５７】
なお、上述した実施形態やその変形例において示した長さ等の数値は例示であって、それらの数値は本発明を限定するものではない。
【産業上の利用可能性】
【００５８】
本発明にかかる身体装着収納具は、ウェストバッグやメッセンジャーバッグをはじめ、アームバンドタイプの収納具など、様々な収納具の構成要素として利用可能である。
【符号の説明】
【００５９】
１…身体装着収納具、２…ベルト、３…身体装着収納具、４…身体装着収納具、９…メッセンジャーバッグ、１１…袋体、１２…第１の連結部、１３…第２の連結部、２１…本体、２２…第１の連結部、２３…第２の連結部、２４…コキ、３１…ベルト、３２…コキ、３３…ベルト、３４…コキ、４１…ベルト、４２…コキ、９２…第１の連結部、９３…第２の連結部、１１１…本体部分、１１２…線ファスナー、１２１…突起部、１３１…開口部
【図１】
0005564671.tif 000002
【図２】
0005564671.tif 000003
【図３】
0005564671.tif 000004
【図４】
0005564671.tif 000005
【図５】
0005564671.tif 000006
【図６】
0005564671.tif 000007